(57)【要約】【課題】写真等の画像を表示する見開きのページの間に隙間が生じることを効果的に防止できるアルバム及び該アルバムの製造方法の提供を課題とする。【解決手段】ベース材２１ｃが、第１の印画紙２１ａの画像非表示領域Ｎと接するように並列配置されていると共に、第２の印画紙２１ｂが、その端部を第１の印画紙２１ａの折り目線Ｌ２に近接させて、第１の印画紙２１ａの画像非表示領域Ｎ及びベース材２１ｃの表面に接着剤５０を介して貼り付けられており、これによって折り目線Ｌ２を介して第１の印画紙２１ａの画像表示領域Ｇと第２の印画紙２１ｂの画像表示領域Ｇとが内側になるようにページ構成体２１が折り曲げ自在とされているアルバムである。【選択図】      図３
2015077687.tif 000002
【特許請求の範囲】
【請求項１】
写真等の画像を表示するページ構成体を複数連結させてなるページ部を備えるアルバムであって、前記ページ構成体が、画像を表示する画像表示領域と画像を表示することのない画像非表示領域とを折り目線を挟んで備える第１の印画紙と、該第１の印画紙と大きさ及び厚みが略同じで、且つ画像を表示する画像表示領域を備える第２の印画紙と、前記第１の印画紙と大きさ及び厚みが略同じであるベース材とで構成されており、前記ベース材は、前記第１の印画紙の画像非表示領域と接するように並列配置されていると共に、前記第２の印画紙は、その端部を前記第１の印画紙の折り目線に近接させて、前記第１の印画紙の画像非表示領域及び前記ベース材の表面に接着剤を介して貼り付けられており、これによって、前記折り目線を介して前記第１の印画紙の画像表示領域と前記第２の印画紙の画像表示領域とが内側になるように前記ページ構成体が折り畳み自在とされていることを特徴とするアルバム。
【請求項２】
請求項１に記載のアルバムの製造方法であって、ページ構成体を形成する工程は、折り目線を挟んで画像表示領域と画像非表示領域とを備える第１の印画紙を準備する工程と、前記第１の印画紙と大きさ及び厚みが略同じであるベース材を、前記第１の印画紙の画像非表示領域と接するように並列配置させる工程と、前記第１の印画紙と大きさ及び厚みが略同じで、且つ画像表示領域を備える第２の印画紙の端部を前記折り目線に近接させて、前記第１の印画紙の画像非表示領域及び前記ベース材の表面に接着剤を介して前記第２の印画紙を貼り付ける工程と、前記第１の印画紙の画像表示領域と前記第２の印画紙の画像表示領域とが内側になるように前記折り目線を介して前記第１の印画紙を折り曲げる工程とを少なくとも備えることを特徴とするアルバムの製造方法。
【請求項３】
第１の印画紙と大きさ及び厚みが略同じであるベース材を、前記第１の印画紙の画像非表示領域と接するように並列配置させる工程は、前記第１の印画紙と前記ベース材とをエアー吸引で固定して行うことを特徴とする請求項２に記載のアルバムの製造方法。
【発明の詳細な説明】
【技術分野】
【０００１】
本発明は、写真等の画像を表示する見開きのページの間に隙間が生じることを効果的に防止できるアルバム及び該アルバムの製造方法に関する。
【背景技術】
【０００２】
従来、お宮参り、入学式、成人式、婚礼等の記念行事に際しての記念写真を保存、閲覧することができるものとして、アルバムが用いられている。
このようなアルバムとしては、厚紙等の芯材の表裏全面に感圧性接着剤を塗布し、表面を透明の保護フィルムで剥離自在に被覆した台紙を複数枚連結させて製本した構成で形成されているもの（いわゆるブック型アルバム）や、結婚式のアルバムのように写真等の画像が印刷された印画紙を芯となるベース材の全面に貼り付ける構成で形成されているものがある。
この印画紙をベース材の全面に貼り付ける構成で形成されるアルバムとして、例えば下記特許文献１がある。
【先行技術文献】
【特許文献】
【０００３】
【特許文献１】特開２００５−２７９９８９号公報
【発明の概要】
【発明が解決しようとする課題】
【０００４】
上記特許文献１に示すような従来のアルバムは、以下の製造方法によって形成されるものが一般的であった。
つまり、図７（ａ）に示すように、写真等が印刷された第１の印画紙２ａと第２の印画紙２ｂとを左右に並べ、そのうら面をベース材２ｃの左右に貼り付ける。その後、図７（ｂ）に示すように、ベース材２ｃの中央を印画紙２ａ、２ｂのおもて面を内側になるように折り曲げて、ページ構成体２を複数形成する。そして、複数のページ構成体２を重ねてページ構成体２のベース材２ｃのうら面同士を貼り合わせてページ部（図示しない）を形成する。その後、ページ部を表紙部（図示しない）に貼り付けることでアルバムが形成される。
このような従来のアルバムでは、印画紙２ａ、２ｂが内側になるように折り曲げるので、図７に示すように、左右の印画紙２ａ、２ｂの端部同士が干渉することを防ぐために隙間Ｙを設ける必要があった。
しかし、このように隙間Ｙを設ける構成とした場合、見開きのページにまたぐように画像を配置すると、隙間Ｙの部分からベース材が見えて画像が分断されてしまうことから、見開きのページにまたがって画像を配置することができず、画像のレイアウトが制約されるという問題があった。
【０００５】
そこで本発明は上記従来における問題点を解決し、写真等の画像を表示する見開きのページの間に隙間が生じることを効果的に防止できるアルバム及び該アルバムの製造方法の提供を課題とする。
【課題を解決するための手段】
【０００６】
本発明のアルバムは、写真等の画像を表示するページ構成体を複数連結させてなるページ部を備えるアルバムであって、前記ページ構成体が、画像を表示する画像表示領域と画像を表示することのない画像非表示領域とを折り目線を挟んで備える第１の印画紙と、該第１の印画紙と大きさ及び厚みが略同じで、且つ画像を表示する画像表示領域を備える第２の印画紙と、前記第１の印画紙と大きさ及び厚みが略同じであるベース材とで構成されており、前記ベース材は、前記第１の印画紙の画像非表示領域と接するように並列配置されていると共に、前記第２の印画紙は、その端部を前記第１の印画紙の折り目線に近接させて、前記第１の印画紙の画像非表示領域及び前記ベース材の表面に接着剤を介して貼り付けられており、これによって、前記折り目線を介して前記第１の印画紙の画像表示領域と前記第２の印画紙の画像表示領域とが内側になるように前記ページ構成体が折り畳み自在とされていることを第１の特徴としている。
【０００７】
上記本発明の第１の特徴によれば、アルバムは、写真等の画像を表示するページ構成体を複数備えてなるアルバムであって、前記ページ構成体が、画像を表示する画像表示領域と画像を表示することのない画像非表示領域とを折り目線を挟んで備える第１の印画紙と、該第１の印画紙と大きさ及び厚みが略同じで、且つ画像を表示する画像表示領域を備える第２の印画紙と、前記第１の印画紙と大きさ及び厚みが略同じであるベース材とで構成されており、前記ベース材は、前記第１の印画紙の画像非表示領域と接するように並列配置されていると共に、前記第２の印画紙は、その端部を前記第１の印画紙の折り目線に近接させて、前記第１の印画紙の画像非表示領域及び前記ベース材の表面に接着剤を介して貼り付けられており、これによって、前記折り目線を介して前記第１の印画紙の画像表示領域と前記第２の印画紙の画像表示領域とが内側になるように前記ページ構成体が折り畳み自在とされていることから、写真等の画像を表示する第１の印画紙と第２の印画紙との間に隙間が生じることを効果的に防止できる。よって、特に第１の印画紙と第２の印画紙との間にまたがって画像を配置する場合においては、第１の印画紙と第２の印画紙との間で画像が分断されることを効果的に防止できる。従って、画像のレイアウトの自由度を広げることができ、オリジナル性のあるアルバムとすることができる。
また、第１の印画紙と大きさ及び厚みが略同じであるベース材を第１の印画紙の画像非表示領域と接するように並列配置させる構成とすることで、ページ部の強度を向上させることができる。
【０００８】
また本発明のアルバムの製造方法は、請求項１に記載のアルバムの製造方法であって、ページ構成体を形成する工程は、折り目線を挟んで画像表示領域と画像非表示領域とを備える第１の印画紙を準備する工程と、前記第１の印画紙と大きさ及び厚みが略同じであるベース材を、前記第１の印画紙の画像非表示領域と接するように並列配置させる工程と、前記第１の印画紙と大きさ及び厚みが略同じで、且つ画像表示領域を備える第２の印画紙の端部を前記折り目線に近接させて、前記第１の印画紙の画像非表示領域及び前記ベース材の表面に接着剤を介して前記第２の印画紙を貼り付ける工程と、前記第１の印画紙の画像表示領域と前記第２の印画紙の画像表示領域とが内側になるように前記折り目線を介して前記第１の印画紙を折り曲げる工程とを少なくとも備えることを第２の特徴としている。
【０００９】
上記本発明の第２の特徴によれば、アルバムの製造方法は、請求項１に記載のアルバムの製造方法であって、ページ構成体を形成する工程は、折り目線を挟んで画像表示領域と画像非表示領域とを備える第１の印画紙を準備する工程と、前記第１の印画紙と大きさ及び厚みが略同じであるベース材を、前記第１の印画紙の画像非表示領域と接するように並列配置させる工程と、前記第１の印画紙と大きさ及び厚みが略同じで、且つ画像表示領域を備える第２の印画紙の端部を前記折り目線に近接させて、前記第１の印画紙の画像非表示領域及び前記ベース材の表面に接着剤を介して前記第２の印画紙を貼り付ける工程と、前記第１の印画紙の画像表示領域と前記第２の印画紙の画像表示領域とが内側になるように前記折り目線を介して前記第１の印画紙を折り曲げる工程とを少なくとも備えることから、写真等の画像を表示する第１の印画紙と第２の印画紙との間に隙間が生じることを効果的に防止できる。よって、特に第１の印画紙と第２の印画紙との間にまたがって画像を配置する場合においては、第１の印画紙と第２の印画紙との間で画像が分断されることを効果的に防止できる。従って、画像のレイアウトの自由度を広げることができ、オリジナル性のあるアルバムとすることができる。
また第１の印画紙と大きさ及び厚みが略同じであるベース材を第１の印画紙の画像非表示領域と接するように並列配置させる構成とすることで、ページ部の強度を向上させることができる。
【００１０】
また本発明のアルバムの製造方法は、上記本発明の第２の特徴に加えて、第１の印画紙と大きさ及び厚みが略同じであるベース材を、前記第１の印画紙の画像非表示領域と接するように並列配置させる工程は、エアー吸引によって前記第１の印画紙と前記ベース材とを同時に吸引させて行うことを第３の特徴としている。
【００１１】
上記本発明の第３の特徴によれば、上記本発明の第２の特徴による作用効果に加えて、第１の印画紙と大きさ及び厚みが略同じであるベース材を、前記第１の印画紙の画像非表示領域と接するように並列配置させる工程は、前記第１の印画紙と前記ベース材とをエアー吸引で固定して行うことから、製造効率を効果的に向上させることができる。
【発明の効果】
【００１２】
本発明のアルバムによれば、写真等の画像を表示する第１の印画紙と第２の印画紙との間に隙間が生じることを効果的に防止できる。よって、特に第１の印画紙と第２の印画紙との間にまたがって画像を配置する場合においては、第１の印画紙と第２の印画紙との間で画像が分断されることを効果的に防止できる。従って、画像のレイアウトの自由度を広げることができ、オリジナル性のあるアルバムとすることができる。
また本発明のアルバムの製造方法によれば、写真等の画像を表示する第１の印画紙と第２の印画紙との間に隙間が生じることを効果的に防止できる。よって、特に第１の印画紙と第２の印画紙との間にまたがって画像を配置する場合においては、第１の印画紙と第２の印画紙との間で画像が分断されることを効果的に防止できる。従って、画像のレイアウトの自由度を広げることができ、オリジナル性のあるアルバムとすることができる。また、製造効率を効果的に向上させることができる。
【図面の簡単な説明】
【００１３】
【図１】本発明の実施形態に係るアルバムの製造方法を簡略化して示す正面図である。
【図２】本発明の実施形態に係るアルバムの製造方法を簡略化して示す正面図である。
【図３】本発明の実施形態に係るアルバムの製造方法を簡略化して示す正面図である。なお、（ｃ）は（ｂ）のＡ―Ａ線方向における要部の断面図である。
【図４】本発明の実施形態に係るアルバムの製造方法を簡略化して示す図で、（ａ）は複数のページ構成体を連結させる状態を示す斜視図、（ｂ）はページ部が形成される状態を示す正面図である。
【図５】本発明の実施形態に係るアルバムの製造方法を簡略化して示す図で、（ａ）は表紙部にページ部を貼り付けた状態を示す正面図、（ｂ）はアルバムが完成した状態をページ部側から示す全体斜視図、（ｃ）はアルバムが完成した状態を表紙部側から示す全体斜視図である。
【図６】本発明の実施形態に係るアルバムを示す図で、（ａ）はアルバムの底面図、（ｂ）は（ａ）のＢ−Ｂ線方向における要部の断面図である。
【図７】従来のアルバムの製造方法を示す図であり、（ａ）はページ構成体が形成される状態を示す要部の断面図、（ｂ）は複数のページ構成体を連結させる状態を示す要部の断面図である。
【発明を実施するための形態】
【００１４】
以下、図面を参照して、本発明の実施形態に係るアルバム１及びアルバム１の製造方法を説明し、本発明の理解に供する。しかし、以下の説明は本発明の実施形態であって、特許請求の範囲に記載の内容を限定するものではない。
【００１５】
本発明の実施形態に係るアルバム１は、図５に示すように、表紙を構成する表紙部１０と、アルバムのページを構成するページ構成体２１を複数連結させて備えるページ部２０とで構成されている。
【００１６】
このアルバム１は、以下の製造方法によって製造される。
【００１７】
まず図１を参照して、表紙部形成工程Ｃにより、アルバムの表紙を形成する矩形状のシート状部材１１を１枚準備して、一面側に１乃至複数の写真画像Ｐ及び／又は１乃至複数の装飾画像Ｓを合成印刷する。なお本実施形態においては、図１（ａ）、図５（ｃ）に示すように、表紙の表裏をまたいで装飾画像Ｓを設ける構成としてある。
なお、ここで「写真画像Ｐ」とは、画像のうち、デジタルカメラ等の写真機（いわゆるカメラ）で撮影された画像を意味するものとし、「装飾画像Ｓ」とは、画像のうち、写真画像以外の画像（例えばイラスト、飾り枠、文字、数字等）を意味するものとする。
【００１８】
また写真画像Ｐと装飾画像Ｓとの合成は、画像処理ソフトを用いて写真画像Ｐをコンピュータ内に入力させた後、画像処理ソフトを用いて写真画像Ｐと任意の装飾画像Ｓとを合成する。
またシート状部材１１への写真画像Ｐと装飾画像Ｓとの合成印刷は、プリンターを用いて水性顔料インクによるインクジェット印刷により行う。
なおシート状部材１１としては、ビニールレザーやフォトペーパー等を用いることができる。本実施形態においては、シート状部材として、フォトペーパーを用いる構成としてある。
また図１（ａ）に示すシート状部材１１の縦の長さＦは、２９０ｍｍ〜３４０ｍｍ程度とすることが望ましい。
また図１（ａ）に示すシート状部材の横の長さＨは、５９０ｍｍ〜１０９０ｍｍ程度とすることが望ましい。
またシート状部材１１の厚みは、０．２５ｍｍ〜０．３５ｍｍ程度とすることが望ましい。
【００１９】
次に図１（ｂ）を参照して、シート状部材１１における、合成印刷を施した面と反対側の面に折り目線Ｌ１を形成すると共に、折り目線Ｌ１に沿ってシート状部材１１の仮折りを行う。この折り目線Ｌ１の形成及びシート状部材の仮折りは、図示しない機械を用いて行う。
【００２０】
次に図１（ｃ）を参照して、折り目線Ｌ１を形成した面の所定領域（具体的には、後述する芯材１２と背板１３とを被覆する領域）に接着剤４０を塗布する。
なお接着剤４０としては、シート状部材１１と、芯材１２及び背板１３とを貼り合わせることができるものであれば如何なるものを用いてもよい。
例えば両面テープ、にかわ等を用いることができる。
【００２１】
次に図２（ａ）を参照して、シート状部材１１の所定位置（具体的には、図１（ｃ）において１点鎖線で囲む位置）に、矩形状の板状部材からなる芯材１２及び矩形状の板状部材からなる背板１３を貼り付ける。
なお芯材１２、背板１３としては、厚紙、チップボール、ＭＤＦボード等を用いることができる。本実施形態においては、芯材１２、背板１３としてチップボールを用いる構成としてある。
なお、芯材１２の縦の長さＩは２４７ｍｍ〜２９７ｍｍ程度、横の長さＪは２３４ｍｍ〜２８４ｍｍ程度とすることが望ましい。
また背板１３の縦の長さＫは２４７ｍｍ〜２９７ｍｍ程度、横の長さＭは１１ｍｍ〜３０ｍｍ程度とすることが望ましい。
また芯材１２及び背板１３の厚みは、２ｍｍ〜４ｍｍ程度とすることが望ましい。
【００２２】
次に図２（ｂ）を参照して、シート状部材１１を折り目線Ｌ１で折り返して、シート状部材１１の端部（図２（ｂ）に示すシート状部材１１の折り目線Ｌ１よりも外側の部分）を芯材１２及び背板１３に貼り付ける。
以上の工程により、表紙部形成工程Ｃが終了し、背板１３を挟んで一対の芯材１２が内側となるように折り畳み自在な表紙部１０が形成される。
【００２３】
次に図２（ｃ）を参照して、ページ部形成工程Ｄにより、１乃至複数の写真画像Ｐ及び／又は１乃至複数の装飾画像Ｓが片面に合成印刷された矩形状の第１の印画紙２１ａ、第２の印画紙２１ｂを準備する。
なお、写真画像Ｐと装飾画像Ｓとの合成は、画像処理ソフトを用いて写真画像Ｐをコンピュータ内に入力させた後、画像処理ソフトを用いて写真画像Ｐと任意の装飾画像Ｓとを合成する。
また印画紙への写真画像Ｐと装飾画像Ｓとの印刷は、図示しないプリンターを用いて印画紙出力により行う。
【００２４】
また本実施形態においては、見開きのページを構成する第１の印画紙２１ａと第２の印画紙２１ｂとにまたいで画像を設ける構成としてある。
また第１の印画紙２１ａにおいては、画像を表示する画像表示領域Ｇと、画像を表示することのない画像非表示領域Ｎとを折り目線Ｌ２を挟んで一対備える構成としてある。
なお、ここで「画像を表示する画像表示領域」とは、アルバムを見る人の視界に入る領域を意味し、「画像を表示することのない画像非表示領域」とは、アルバムを見る人の視界に入ることがない領域を意味するものである。
【００２５】
なお、第１の印画紙２１ａの縦の長さＱは２４０ｍｍ〜２９０ｍｍ程度、横の長さＲは２６０ｍｍ〜３１０ｍｍ程度、厚みは０．２２ｍｍ〜０．２６ｍｍ程度とすることが望ましい。
また画像非表示領域Ｎの横の長さＴは、第１の印画紙２１ａの横の長さＲの６％〜８％程度とすることが望ましい。
また第２の印画紙２１ｂの縦の長さＵ、横の長さＶ、厚みは、それぞれ既述した第１の印画紙２１ａの縦の長さＱ、横の長さＲ、厚みと略同じであることが望ましい。
なお、ここで「略同じ」とは、基準となる大きさ、厚みの９５％〜１００％程度の範囲内に収まるものを意味するものである。
また第１の印画紙２１ａと第２の印画紙２１ｂとしては、如何なる印画紙を用いてもよい。が、第１の印画紙２１ａと第２の印画紙２１ｂとは、同じ材質の印画紙を用いることが望ましい。本実施形態においては、第１の印画紙２１ａ、第２の印画紙２１ｂとして、同じ材質の印画紙を用いている。
【００２６】
次に図３（ａ）を参照して、ページ部２０の骨格を形成すると共に、強度（剛性）を補強するためのベース材２１ｃを準備し、第１の印画紙２１ａの画像非表示領域Ｎと接するようにベース材２１ｃを並列配置させる。なお、この際、第１の印画紙２１ａとベース材２１ｃとを固定部材３０で仮固定する。
なお、ここで「接するように」とは、第１の印画紙２１ａの画像非表示領域Ｎとベース材２１ｃとの距離が０ｍｍ〜０．１ｍｍ程度のことを意味するものである。
なおベース材２１ｃとしては、厚紙、コート紙等を用いることができる。本実施形態においては、ベース材２１ｃとして厚紙を用いる構成としてある。
また、ベース材２１ｃの縦の長さＷ、横の長さＸ、厚みは、それぞれ既述した第１の印画紙２１ａの縦の長さＱ、横の長さＲ、厚みと略同じであることが望ましい。
また、固定部材３０としては、第１の印画紙２１ａとベース材２１ｃとを仮固定できるものであれば如何なるものを用いてもよい。本実施形態においては、固定部材３０としてビニールテープを用いている。
【００２７】
次に図３（ｂ）、図３（ｃ）を参照して、裏面に接着剤５０を塗布した第２の印画紙２１ｂの端部を折り目線Ｌ２に近接させて、画像非表示領域Ｎ及びベース材２１ｃの表面に第２の印画紙２１ｂを貼り付ける。そして、第２の印画紙２１ｂを貼り付けた後、既述した固定部材３０を剥がす。
なお、第２の印画紙２１ｂを貼り付ける際、第２の印画紙２１ｂの画像表示領域Ｇを第１の印画紙２１ａの画像表示領域Ｇと同じ向きに配置することが必要である。
また、ここで「近接させて」とは、折り目線Ｌ２と第２の印画紙２１ａとの距離が０．２ｍｍ〜０．５ｍｍ程度であることを意味するものである。
なお、接着剤５０としては、第１の印画紙２１ａ、ベース材２１ｃと、第２の印画紙２１ｂとを貼り合わせることができるものであれば、如何なるものを用いてもよい。
例えば両面テープ、にかわ、澱粉系接着剤、サクビ系接着剤等を用いることができる。
【００２８】
次に図４（ａ）を参照して、第１の印画紙２１ａの画像表示領域Ｇと第２の印画紙２１ｂの画像表示領域Ｇとが内側で対向するように、折り目線Ｌ２で第１の印画紙２１ａを折り曲げる。これによって、折り目線Ｌ２を介して第１の印画紙２１ａの画像表示領域Ｇと第２の印画紙２１ｂの画像表示領域Ｇとが内側となるように折り畳み自在なページ構成体２１が形成される。
そして折り曲げた状態で、接着剤６０を介して複数枚のページ構成体２１を相互に貼り合わせて連結させる。より具体的には、図４（ａ）に示すように、第１の印画紙２１ａとベース材２１ｃとが重なるように相互に貼り合わせる。なお、図４（ａ）においては、相互に貼り合わされる４枚のページ構成体２１のうち、２枚のみを示すものとする。
なお接着剤６０としては、複数枚のページ構成体２１を相互に貼り合わせることができるものであれば、如何なるものを用いてもよい。
例えば両面テープ、澱粉系接着剤、サクビ系接着剤等を用いることができる。
【００２９】
次に図４（ｂ）を参照して、折り曲げた状態で相互に貼り合わされてある複数枚のページ構成体２１を切断線Ｌ３に沿って切断機で切断する。
これにより、ページ部２０が形成される。またこの工程により、第１の印画紙２１ａにベース材２１ｃを並列配置させる工程や、第１の印画紙２１ａ及びベース材２１ｃに第２の印画紙２１ｂを貼り合わせる工程で生じる、第１の印画紙２１ａとベース材２１ｃとの間、第１の印画紙２１ａ、ベース材２１ｃと第２の印画紙２１ｂとの間におけるズレ部分を切断することができ、寸法合わせを行うことができる。
【００３０】
次に図５（ａ）を参照して、ページ部取付工程Ｅにより、１点鎖線で示す領域に両面テープからなる接着剤７０を配置し、表紙部１０とページ部２０とを貼り合わせる。
なお、この際、ページ部２０の折り目線Ｌ２が背板１３の幅の中央に配置されるように位置合わせを行う。
【００３１】
以上の工程を経ることで、図５（ｂ）、図５（ｃ）、図６に示す本発明の実施形態に係るアルバム１が形成される。
【００３２】
このような構成からなる本発明の実施形態に係るアルバム１及びアルバム１の製造方法は、以下の効果を奏する。
【００３３】
ページ構成体２１の構成を、第２の印画紙２１ｂの端部を第１の印画紙２１ａの折り目線Ｌ２に近接させて、第１の印画紙２１ａの画像非表示領域Ｎ及びベース材２１ｃの表面に第２の印画紙２１ｂを貼り付け、これによって、折り目線Ｌ２を介して第１の印画紙２１ａの画像表示領域Ｇと第２の印画紙２１ｂの画像表示領域Ｇとが内側となるように折り畳み自在な構成とすることで、写真等の画像を表示する見開きのページとなる第１の印画紙２１ａと第２の印画紙２１ｂとの間に隙間が生じることを効果的に防止できる。言い換えれば、第１の印画紙２１ａの折り目線Ｌ２と、第１の印画紙２１ａと第２の印画紙２１ｂとのつなぎ目とを限りなく同一化（一体化）させることができる。
よって図３に示すように、第１の印画紙２１ａと第２の印画紙２１ｂとの間にまたがって画像を配置する場合においては、第１の印画紙２１ａと第２の印画紙２１ｂとの間で画像が分断されることを効果的に防止できる。従って、画像のレイアウトの自由度を広げることができると共に、第１の印画紙２１ａ及び第２の印画紙２１ｂの全面を使って画像を表示することができ、オリジナル性のあるアルバムとすることができる。
【００３４】
また仮に折り目線Ｌ２と第２の印画紙２１ｂの端部との間に若干の隙間が生じる場合においても、第１の印画紙２１ａと第２の印画紙２１ｂとは同じ材質の印画紙で形成されており、且つ第２の印画紙２１ｂは第１の印画紙２１ａの画像非表示領域Ｎの表面に貼り付けられる構成であることから、第１の印画紙２１ａから第２の印画紙２１ｂにまたがる部分の画像を画像非表示領域Ｎにも予め印刷しておけば、第１の印画紙２１ａと第２の印画紙２１ｂとの間で画像が不自然に分断されることを効果的に防止することができる。従って、画像のレイアウトの自由度を広げることができ、オリジナル性のあるアルバム１とすることができる。なお、第１の印画紙２１ａから第２の印画紙２１ｂにまたがる部分の画像を画像非表示領域Ｎにも印刷する場合は、折り目線Ｌ２から画像非表示領域Ｎ側に２ｍｍ程度入った領域まで画像を印刷しておくことが好ましい。
【００３５】
また、第１の印画紙２１ａと大きさ及び厚みが略同じであるベース材２１ｃを第１の印画紙２１ａの画像非表示領域Ｎと接するように並列配置させると共に、第２の印画紙２１ｂを第１の印画紙２１ａの画像非表示領域Ｎ及びベース材２１ｃの表面に貼り付ける構成とすることで、ページ部２０の強度を効果的に向上させることができる。
より具体的には、図６（ｂ）に示すように、ページ部２０を形成した状態において、ベース材２１ｃの両面に第１の印画紙２１ａと第２の印画紙２１ｂとが接着剤５０、接着剤６０を介して貼り付けられる構成となる。よって、第１の印画紙２１ａと第２の印画紙２１ｂの芯材としてベース材２１ｃを用いることができる。従って、ページ部２０の強度を効果的に向上させることができる。
更にページ構成体２１において、画像を表示する面と反対側の面（図３（ｃ）の下面側）に、段差が形成されることを効果的に防止することができる。よってページ部２０を形成した際、画像を表示する面に不自然な段差が表示されることを効果的に防止することができ、ビジュアル性に優れたアルバム１とすることができる。
【００３６】
また画像非表示領域Ｎの横の長さＴを第１の印画紙２１ａの横の長さＲの６％〜８％程度とすることで、第１の印画紙２１ａにおける画像表示領域Ｇの面積を確実に確保することができると共に、第２の印画紙２１ｂを精度良く貼り付けるための糊代部分として画像非表示領域Ｎを利用することができる。また、ベース材２１ｃを配置するためのスペースを確実に確保することができる。
つまり、画像非表示領域Ｎの横の長さＴが第１の印画紙２１ａの横の長さＲの８％を超えると、第１の印画紙２１ａにおける画像表示領域Ｇの面積が小さくなり、画像を効果的に表示することができないからである。一方、画像非表示領域Ｎの横の長さＴが第１の印画紙２１ａの横の長さＲの６％未満であると、画像非表示領域Ｎに第２の印画紙２１ｂを精度良く貼り付けることができないからである。
【００３７】
また、第１の印画紙２１ａ、第２の印画紙２１ｂ、ベース材２１ｃの大きさ、厚みが略同じである構成とすることで、それぞれの位置合わせが容易となり、製造効率の良いアルバム１及びアルバム１の製造方法とすることができる。
【００３８】
また表紙部１０とページ部２０とを貼り合わせるだけの構成であるので、製造工程の簡略化と製造コストの低コスト化を実現することができるアルバム１及びアルバム１の製造方法とすることができる。
【００３９】
またアルバム１の表紙を形成するシート状部材１１に写真画像Ｐと装飾画像Ｓとを合成印刷する構成とすることで、ビジュアル性に優れると共に、オリジナル性のある表紙部１０を形成することができる。つまりビジュアル性に優れると共に、オリジナル性のある外観を備えるアルバム１とすることができる。よって販売時に他のアルバムとの差別化を図ることができる。
更に表紙の表裏をまたいで装飾画像Ｓを設ける構成とすることで、一段とビジュアル性に優れると共に、オリジナル性のある外観を備えるアルバム１とすることができる。
【００４０】
つまり結婚式のアルバムのように写真等の画像が印刷された印画紙を芯となるベース材の全面に貼り付ける構成で形成される従来のアルバムは、以下の製造方法によって形成されるものが一般的であった。
まず図７（ａ）に示すように、写真等が印刷された第１の印画紙２ａと第２の印画紙２ｂとを左右に並べ、そのうら面をベース材２ｃの左右に貼り付ける。その後、図７（ｂ）に示すように、ベース材２ｃの中央を印画紙２ａ、２ｂのおもて面を内側になるように折り曲げて、ページ構成体２を複数形成する。そして複数のページ構成体２を重ねて、ページ構成体２のベース材２ｃのうら面同士を貼り合わせてページ部（図示しない）を形成する。その後、ページ部を表紙部（図示しない）に貼り付けることでアルバムを形成する。
このような従来のアルバムでは、印画紙２ａ、２ｂが内側になるように折り曲げるので、図７（ｂ）に示すように、左右の印画紙２ａ、２ｂの端部同士が干渉することを防ぐために隙間Ｙを設ける必要があった。
しかし、このように隙間Ｙを設ける構成とした場合、見開きのページにまたぐように画像を配置すると、隙間Ｙの部分からベース材２ｃが見えて画像が分断されてしまうことから、見開きのページにまたがって画像を配置することができず、画像のレイアウトが制約されるという問題があった。
【００４１】
本発明の実施形態に係るアルバム１の構成とすることで、特に、第１の印画紙２１ａと第２の印画紙２１ｂの端部が干渉することがない。よって第２の印画紙の端部２１ｂを第１の印画紙２１ａの折り目線Ｌ２に近接させて配置することができる。よって、写真等の画像を表示する見開きのページの間に隙間が生じることを効果的に防止できる。
従って、第１の印画紙２１ａと第２の印画紙２１ｂとの間にまたがって画像を配置する場合においては、第１の印画紙２１ａと第２の印画紙２１ｂとの間で画像が分断されることを効果的に防止できる。よって、画像のレイアウトの自由度を広げることができると共に、第１の印画紙２１ａ及び第２の印画紙２１ｂの全面を使って画像を表示することができ、オリジナル性のあるアルバム１とすることができる。
【００４２】
なお本実施形態においては、芯材１２、背板１３、第１の印画紙２１ａ、第２の印画紙２１ｂ、ベース材２１ｃを矩形状で形成する構成としたが、必ずしもこのような構成に限るものではなく、芯材１２、背板１３、第１の印画紙２１ａ、第２の印画紙２１ｂ、ベース材２１ｃの形状は適宜変更可能である。
また写真画像Ｐ、装飾画像Ｓの構成（デザイン、配置位置、大きさ、数等）、ページ構成体２１の数も本実施形態のものに限るものではなく、適宜変更可能である。
【００４３】
また本実施形態においては、第１の印画紙２１ａと第２の印画紙２１ｂとにまたがって画像を設ける構成としたが、必ずしもこのような構成に限るものではなく、第１の印画紙２１ａと第２の印画紙２１ｂとにそれぞれ分離した画像を設ける構成としてもよい。このような構成とする場合においても、本発明の構成を備えるアルバム１とすることで、第１の印画紙２１ａの折り目線Ｌ２と、第１の印画紙２１ａと第２の印画紙２１ｂとのつなぎ目とを限りなく同一化（一体化）させることができることで、見栄えの良好なアルバムとすることができる。
【００４４】
また、本実施形態においては、第１の印画紙２１ａとベース材２１ｃとを固定部材３０で仮固定させた状態で並列配置させる構成としたが、第１の印画紙２１ａとベース材２１ｃとを並列配置させた状態を一定時間維持させることができる構成は必ずしもこのような構成に限るものではなく、適宜変更可能である。
例えばエアー吸引によって、第１の印画紙２１ａとベース材２１ｃとを同時に吸引させる構成を用いることができる。このような構成とすることで、製造効率を効果的に向上させることができる。
【００４５】
またシート状部材１１、第１の印画紙２１ａ、第２の印画紙２１ｂの表面に表面保護膜を設ける構成としてもよい。このような構成とすることで、ビジュアル性及び耐久性に優れたアルバム１とすることができる。
なお表面保護膜としては、例えば表面保護剤や透明の表面保護フィルム等を用いることができる。更に表面保護剤としては、ニス、液体ラミネート等を用いることができる。
また透明の表面保護フィルムとしては、ポリプロピレンフィルム、ポリエチレンフィルム等を用いることができる。
【産業上の利用可能性】
【００４６】
本発明は、記念写真を閲覧することができるアルバムに利用することができる。
【符号の説明】
【００４７】
１          アルバム
２          ページ構成体
２ａ        第１の印画紙
２ｂ        第２の印画紙
２ｃ        ベース材
３          接着剤
１０        表紙部
１１        シート状部材
１２        芯材
１３        背板
２０        ページ部
２１        ページ構成体
２１ａ      第１の印画紙
２１ｂ      第２の印画紙
２１ｃ      ベース材
３０        固定部材
４０        接着剤
５０        接着剤
６０        接着剤
Ｃ          表紙部形成工程
Ｄ          ページ部形成工程
Ｅ          ページ部貼り付け工程
Ｆ          長さ
Ｇ          画像表示領域
Ｈ          長さ
Ｉ          長さ
Ｊ          長さ
Ｋ          長さ
Ｌ１        折り返し線
Ｌ２        折り目線
Ｌ３        切断線
Ｍ          長さ
Ｎ          画像非表示領域
Ｐ          写真画像
Ｑ          長さ
Ｒ          長さ
Ｓ          装飾画像
Ｔ          長さ
Ｕ          長さ
Ｖ          長さ
Ｗ          長さ
Ｘ          長さ
Ｙ          隙間
【図１】
2015077687.tif 000003
【図２】
2015077687.tif 000004
【図３】
2015077687.tif 000005
【図４】
2015077687.tif 000006
【図５】
2015077687.tif 000007
【図６】
2015077687.tif 000008
【図７】
2015077687.tif 000009